(57)【要約】【課題】    従来の方法では、１件とみなされる施行で、検査依頼者、回答者、フィードバック受領者が異なる場合や複数のフィードバック受領者が異なった種類のフィードバックを得る形態、複数の回答者や一人の回答者に複数の回答時期が設定されるような形態の検査の施行とフィードバックを行うことは不可能である。【解決手段】  一件とみなされる施行定義ごとに、回答者のメールアドレスとともに施行すべき検査の種類とその施行時期のリスト、フィードバック受領者のメールアドレスとフィードバックの種類を施行定義データベースに登録し、メールなどを利用して回答者やフィードバック受領者へ施行や結果の通知を行うことで、複雑な条件下の自動施行を可能にした。【選択図】    図１
2006221594.tif 000002
【特許請求の範囲】
【請求項１】
一つの施行定義ごとに複数の回答者と複数の検査のリストをデータベースに登録する機能をもち、回答者に検査を実施する方法を電子メール等のプッシュ型の情報配信システムで個別に通知し、通知した方法でアクセスされた場合に検査画面を表示し、その画面を通じて回答者から得られたデータをデータベースに登録する機能を持ち、複数の回答者の回答データを総合することで得られるフィードバックを提供する機能を持つ、検査や調査の施行およびフィードバックを行うシステム。
【請求項２】
検査ごとに施行を行う時期の条件をデータベースに登録する機能をもつ、請求項１と同様のシステム。
【請求項３】
一つの施行定義ごとにフィードバックの受領者のメールアドレスのリスト（単一の場合も含む）と各人が得るフィードバックの種類のリスト（単一の場合も含む）をデータベースに登録する機能をもち、フィードバック受領者ごとに登録された種類のフィードバックを生成するのに必要な回答が登録された時点で、電子メール等のプッシュ型の情報配信システムを通じて、そのフィードバックを伝達するか、またはそのフィードバックを受領する方法を通知するための通知を行う機能を持つ、検査や調査の施行およびフィードバックを行うシステム。
【発明の詳細な説明】
【発明の詳細な説明】
【技術分野】
【０００１】  本発明はネットワークに接続されたパーソナルコンピュータ（以下ＰＣと記す）を入力装置として調査や検査（以下「検査」という）を自動的に行うシステムに関する。
【背景技術】
【０００２】  従来、ネットワークに接続されたＰＣを端末として、個別の施行毎にフィードバックを伴う検査や調査を行うやり方は、
回答者が検査画面を表示するウエブページなどにアクセスし、そこで回答を入力すると、フィードバックが表示されるという形式か、
検査画面を表示する前の画面で回答者個人または施行毎に付されたＩＤを入力させ、または回答者に通知する検査画面のアドレスにそのＩＤを組み込むことで、そのＩＤをキーとして回答データをデータベースに蓄積する、
というものであった。
これらは１回の施行に１つのフィードバックが対応しており、フィードバックを受けるものは検査の依頼者である（依頼者が回答者である場合もある）。
【発明の開示】
【発明が解決しようとする課題】
【０００３】  従来の方法では、複数人の回答結果に当該複数人に対する１つのフィードバックが対応する形態や、単独人の時点を異にする回答結果に１つのフィードバックが対応するような形態の検査の施行とフィードバックを行うことは不可能であった。
また検査依頼者が回答者、フィードバック受領者を指名する施行形式での検査、さらには複数のフィードバック受領者を指定し、それぞれに異なる種類のフィードバックを提供するような施行もまた不可能であった。
本発明ではこれらを可能にしようとするものである。
【課題を解決するための手段】
【０００４】  本発明では、一件とみなされる施行定義ごとに、回答者のメールアドレスまたはその他プッシュ型の情報伝達システムが認識するあて先（以下「メールアドレス」と記す）とともに施行すべき検査の種類とその施行時期（定義は一種類とは限らない）のリスト、フィードバック受領者のメールアドレスとフィードバックの種類を施行定義データベースに登録する。【０００５】  次に、施行時期の条件が満たされた検査が生じた場合、ネットワーク上のＰＣで検査を施行する画面（検査画面）を表示させるための情報を電子メール等の個人宛のプッシュ型の情報伝達システム（以下「メール」と表記する）を利用して当該回答者に通知し、施行を促す。メールは電子的なメールに限らず、印刷物を郵送することも考えられる。【０００６】  回答者は送付された情報に従い検査画面を自己のＰＣに表示させ回答する。その回答内容は回答データベースに登録される。【０００６】  フィードバック受領者ごと、フィードバックの種類ごとに、フィードバックを行うために必要なデータが回答データベースに登録された場合、フィードバックを作成し、メールを用いてフィードバックを送付する。【０００７】  または、その者が得るべきフィードバックを自己のＰＣで表示するために必要な情報をメールで送信する。フィードバック受領者がその情報を元に本発明のシステムにアクセスした場合、本システムは当該回答データベースからフィードバックを作成し、フィードバック受領者のＰＣに向けて送信する。
【発明の効果】
【０００８】  本発明のシステムを用いれば、複数人の回答結果から当該複数人に対する結果が導かれるような形態、同一人物の時点を異にする回答から一つの結果が導かれるような形態、および人物Ａが人物Ｂの結果を人物Ｃにフィードバックさせる形態の検査の施行と結果のフィードバック処理を自動的に行うことができる。
【発明を実施するための最良の形態】
【０００９】  図１をもとに、既存のインターネット技術を利用する前提で説明する。本発明システムの動作の起点は装置２０が表示する施行定義の登録画面に自己のパーソナルコンピュータ５０（以下「ＰＣ５０」）を通じてアクセスした依頼者が、回答者のメールアドレス及び行うべき検査の種類、場合によってはその時期、フィードバック受領者のメールアドレスとフィードバックの種類を入力すると、装置１２（ウェブサーバを使用するのが最良であるので以下ウェブサーバと記載する）、装置２０を介して施行定義データベース１６に登録される。この一組の情報を以下「施行定義」と呼ぶ。【００１０】  装置２０は施行時期の条件が満たされた検査が存在する場合、検査の種類を回答者として定義されたメールアドレスに対して、その回答者専用の検査画面のＵＲＬを情報として含むメールを送信し、検査の施行を促す。【００１１】  メールを受け取った回答者は、自らのＰＣ５０でメールに示されたＵＲＬを呼び出す。そのとき装置２０は検査画面定義データベース１７を読み取り、ウェブサーバ１２を介して検査画面を回答者のＰＣ５０に送信する。【００１２】  回答者はＰＣ５０に表示された検査画面に回答入力を行う。そのときウェブサーバ１２を介して回答を伝達された装置２０は、送られたデータを回答データベース１８に格納する。【００１３】  一検査画面が登録されるたびに、装置２０は施行定義に定義されたフィードバックの種類のうちフィードバック可能になったものがないか確認し、存在する場合は、そのフィードバック受領者に対して、フィードバックを表示するための個別のＵＲＬを電子メールで送信する。【００１４】  フィードバック受領者は送信されたＵＲＬを自己のＰＣ５０を用いて参照する。そのとき、装置２０は回答データベース１８の当該フィードバックに必要な部分を読み込み、フィードバックを生成しＰＣ５０に向けて送信する。
【実施例】
【００１５】  複数人の回答結果から、当該複数人に対する結果が導かれるような形式としては、夫婦それぞれから回答を得ることで、夫婦の考え方や生活習慣の共通性を算出し、それを夫婦の相性として夫婦各自にフィードバックする装置が考えられる。また、施行条件を付する例として、３ヶ月毎に語学能力の検査を行い、伸び率をフィードバックするシステムが考えられる。【００１６】  人物Ａが人物Ｂの結果を人物Ｃにフィードバックさせる形態の検査としては、企業が従業員である夫に回答させることで、その性格傾向を分析し、従業員の配偶者に対して相手（夫）にどのように接したらよいかのアドバイスを提供する装置が考えられる。
【図面の簡単な説明】
【図１】
【００１７】  本発明の概念図である。
【符号の説明】
【００１８】  １０  本発明の装置である
１２  ネットワークに接続されたパーソナルコンピュータと画面毎の通信をする装置であり、既存技術のウェブサーバなどが該当する
１３  ネットワークに接続されたパーソナルコンピュータに対してプッシュ型の情報伝達を行う装置であり、既存技術のメールサーバーなどが該当する。
１６  既存技術のデータベース装置であり施行定義を登録、参照、更新する機能を持つ。
１７  同、検査画面の定義を登録、参照、更新する機能を持つ。
１８  同、被検者の回答を登録、参照する機能を持つ。
２０  １２〜１８の装置を制御し、本発明の要件を実行させる装置である。ウェブサーバに対するプログラムなどの形で構成する。
５０  回答者やフィードバック受領者のパーソナルコンピュータであり、本発明のシステムとの間で、画面を通じたリアルタイムの情報のやり取りをする機能と、メールのような個人宛のプッシュ型の情報伝達を受領する機能、を備えた装置である。
【図１】
2006221594.tif 000003